(57)【要約】      （修正有）【課題】ライブビューモードにおいて、消費電力や発熱量の増加を抑制する。【解決手段】カメラは、入射した被写体光を複数の色信号に色分解して出力する撮像素子１０７と、出力された色信号に基づいて表示用カラー画像または表示用単色画像を生成する画像生成手段１１４と、生成された表示用カラー画像および表示用単色画像のいずれか一方の画像を表示する表示器１２０と、表示器１２０に表示用カラー画像を表示中に所定条件を満たしたことを検出する検出手段１１６と、所定条件が満たされると、表示器１２０のカラー画像表示を単色画像表示に切り替える切替手段１１６とを備える。【選択図】図２
2008258825.tif 000002
【特許請求の範囲】
【請求項１】
入射した被写体光を複数の色信号に色分解して出力する撮像素子と、
出力された前記色信号に基づいて表示用カラー画像または表示用単色画像を生成する画像生成手段と、
生成された前記表示用カラー画像および表示用単色画像のいずれか一方の画像を表示する表示器と、
前記表示器に前記表示用カラー画像を表示中に所定条件を満たしたことを検出する検出手段と、
前記所定条件が満たされると、前記表示器のカラー画像表示を単色画像表示に切り替える切替手段とを備えることを特徴とするカメラ。
【請求項２】
請求項１に記載のカメラにおいて、
温度を検出する温度検出手段をさらに備え、
前記所定条件は、前記検出された温度が所定の閾値を超えた場合であることを特徴とするカメラ。
【請求項３】
請求項１または２に記載のカメラにおいて、
バッテリーの残容量を検出する容量検出手段をさらに備え、
前記所定条件は、前記検出された前記残容量が所定の閾値以下の場合であることを特徴とするカメラ。
【請求項４】
請求項１乃至３のいずれか一項に記載のカメラにおいて、
前記表示用カラー画像に基づいて前記複数の色信号毎にヒストグラムを作成し、複数の色信号のうち、もっとも階調数が多い色信号を選択する選択手段をさらに備え、
前記画像生成手段は、前記選択手段により選択された色信号に基づく表示用単色画像を作成することを特徴とするカメラ。
【請求項５】
請求項４に記載のカメラにおいて、
前記選択手段で選択された色信号だけを出力するように前記撮像素子を制御する制御手段をさらに備えることを特徴とするカメラ。
【請求項６】
請求項４に記載のカメラにおいて、
前記撮像素子から出力される前記複数の色信号をそれぞれデジタル色信号に変換して出力するＡＤ変換器と、
前記選択手段で選択された色信号だけをデジタル変換して出力するように前記ＡＤ変換器を制御する制御手段をさらに備えることを特徴とするカメラ。
【請求項７】
請求項４に記載のカメラにおいて、
前記画像生成手段は、入力される複数の色信号に対して所定の画像処理を施す画像処理部を含み、前記画像処理部で画像処理の施された複数の色信号のうち、前記選択手段で選択された色信号を用いて前記単色画像を生成することを特徴とするカメラ。
【発明の詳細な説明】
【技術分野】
【０００１】
本発明は、電子ビューファインダを有するカメラに関する。
【背景技術】
【０００２】
従来から、撮像素子からの出力されたＲＧＢの３色に基づいて生成された画像を、表示部にスルー画として表示するカメラが知られている（たとえば、特許文献１）。
【特許文献１】特開２００４−１３５０２９号公報
【発明の開示】
【発明が解決しようとする課題】
【０００３】
しかしながら、ＲＧＢ３色を用いる場合、消費電力や発熱量が増加するという問題がある。
【課題を解決するための手段】
【０００４】
請求項１の発明によるカメラは、入射した被写体光を複数の色信号に色分解して出力する撮像素子と、出力された色信号に基づいて表示用カラー画像または表示用単色画像を生成する画像生成手段と、生成された表示用カラー画像および表示用単色画像のいずれか一方の画像を表示する表示器と、表示器に表示用カラー画像を表示中に所定条件を満たしたことを検出する検出手段と、所定条件が満たされると、表示器のカラー画像表示を単色画像表示に切り替える切替手段とを備えることを特徴とする。
請求項２の発明は、請求項１のカメラにおいて、温度を検出する温度検出手段をさらに備え、所定条件は、検出された温度が所定の閾値を超えた場合であることを特徴とする。
請求項３の発明は、請求項１または２のカメラにおいて、バッテリーの残容量を検出する容量検出手段をさらに備え、所定条件は、検出された残容量が所定の閾値以下の場合であることを特徴とする。
請求項４の発明は、請求項１乃至３のいずれか一項のカメラにおいて、表示用カラー画像に基づいて複数の色信号毎にヒストグラムを作成し、複数の色信号のうち、もっとも階調数が多い色信号を選択する選択手段をさらに備え、画像生成手段は、選択手段により選択された色信号に基づく表示用単色画像を作成することを特徴とする。
請求項５の発明は、請求項４のカメラにおいて、選択手段で選択された色信号だけを出力するように撮像素子を制御する制御手段をさらに備えることを特徴とする。
請求項６の発明は、請求項４のカメラにおいて、撮像素子から出力される複数の色信号をそれぞれデジタル色信号に変換して出力するＡＤ変換器と、選択手段で選択された色信号だけをデジタル変換して出力するようにＡＤ変換器を制御する制御手段をさらに備えることを特徴とする。
請求項７の発明は、請求項４のカメラにおいて、画像生成手段は、入力される複数の色信号に対して所定の画像処理を施す画像処理部を含み、画像処理部で画像処理の施された複数の色信号のうち、選択手段で選択された色信号を用いて単色画像を生成することを特徴とする。
【発明の効果】
【０００５】
本発明によれば、カラー画像を表示中に所定条件が満たされると、表示中のカラー画像を単色画像に切り替えることにより、発熱を抑制したり、あるいは消費電力を低減することができる。
【発明を実施するための最良の形態】
【０００６】
図１〜図３を用いて、本発明によるカメラの一実施の形態を説明する。図１は電子カメラの要部構成を説明する縦断面図を示し、図２は電子カメラの制御回路のブロック図を示す。
電子カメラ１には、撮影レンズ２を備えるレンズ鏡筒４が着脱可能に装着されている。電子カメラ１は、図１に示すように、クイックリターンミラー１０１、焦点板１０２、ペンタプリズム１０３、測光センサ１０４、接眼レンズ１０５、シャッタ１０６、撮像素子１０７、焦点検出装置１０８を備えている。電子カメラ１の制御回路は、図２に示すように、ドライバ１１０、ＡＦＥ(Analog Front End)回路１１１、タイミングジェネレータ１１２、Ａ／Ｄ変換回路１１３、画像処理部１１４、圧縮回路１１５、ＣＰＵ１１６、ＲＯＭ１１７、バッファメモリ１１８、ＬＣＤ駆動回路１１９、ＬＣＤ１２０、メモリカードインタフェース１２２、温度センサ１２４、バッテリー電圧検出回路１２５、操作系インタフェース１２６、およびＡ／Ｄ変換回路１２７ａ〜１２７ｄを有する。
【０００７】
撮影レンズ２を通過して電子カメラ１に入射した被写体光は、シャッタレリーズ前は図１において実線で示すように位置するクイックリターンミラー１０１で上方へ導かれて焦点板１０２に結像する。被写体光はさらにペンタプリズム１０３へ入射される。ペンタプリズム１０３は、入射された被写体光を接眼レンズ１０５へ導く一方、測光センサ１０４に被写体光を入射し、その撮像面上に被写体像を結像する。測光センサ１０４は、撮影レンズ２に対して撮像素子１０７と光学的に等価な位置に配設される。測光センサ１０４は、画素に対応する複数の光電変換素子を備えたＣＣＤイメージセンサなどによって構成される。測光センサ１０４は、撮像面上に結像されている被写体像を撮像し、被写体像の明るさに応じた光電変換信号を測光信号としてＡ／Ｄ変換回路１２７ｂを介してＣＰＵ１１６へ出力する。
【０００８】
被写体光の一部はクイックリターンミラー１０１の半透過領域を透過し、サブミラー１０１ａにて下方に反射され、焦点検出装置１０８へ入射される。焦点検出装置１０８は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。一対のＣＣＤラインセンサから出力される焦点検出信号はＡ／Ｄ変換回路１２７ｃを介してＣＰＵ１１６に入力される。
【０００９】
レリーズ後はクイックリターンミラー１０１が図１の破線で示される位置へ回動し、被写体光がシャッタ１０６を介して撮像素子１０７へ導かれ、その撮像面上に被写体像が結像する。撮像素子１０７は、受光した被写体光をその強度に応じた画像信号に変換するＣＣＤやＣＭＯＳなどの光電変換素子である。撮像素子１０７には、行列状に画素が配置されている。撮像素子１０７の受光素子の各画素の受光面には、Ｒ（赤色）、Ｇ（緑色）、Ｂ（青色）の各色のフィルタのいずれかがベイヤー配列で取り付けられているので、撮像素子１０７は、Ｒ、ＧおよびＢのそれぞれの色に対応した信号を出力する。
【００１０】
タイミングジェネレータ(TG)１１２は、ＣＰＵ１１６から送出される指令に応じたタイミングで、ドライバ１１０、ＡＦＥ(Analog Front End)回路１１１およびＡ／Ｄ変換回路１１３のそれぞれにタイミング信号を供給する。ドライバ１１０は、撮像素子１０７に電荷を蓄積させ、蓄積電荷を掃き出させるための駆動信号を上記タイミング信号を用いて生成する。そして、ドライバ１１０は、生成した駆動信号を撮像素子１０７へ供給する。ＡＦＥ回路１１１は、撮像素子１０７から出力される光電変換信号（蓄積電荷）に対するアナログ処理（ゲインコントロールなど）を行う。Ａ／Ｄ変換回路１１３は、アナログ処理後の撮像信号をデジタル信号に変換する。なお、ＡＦＥ回路１１１およびＡ／Ｄ変換回路１１３は、撮像素子１０７から出力されるＲ、ＧおよびＢのそれぞれの色に対応したＲチャンネル、ＧチャンネルおよびＢチャンネルを有し、各色ごとに上述した処理をする。
【００１１】
ＣＰＵ１１６は、電子カメラ１の各構成要素を制御したり、各種のデータ処理を実行する演算回路である。ＣＰＵ１１６はタイミングジェネレータ１１２を制御するほか、後述する画像処理部１１４、圧縮回路１１５、メモリカードインタフェース１２２、ＬＣＤ駆動回路１１９を制御する。また、ＣＰＵ１１６は、前述の測光センサ１０４から出力された測光信号に基づいて算出された被写体の輝度および撮像感度（ＩＳＯ感度）に基づいて、シャッタ速度と撮影レンズ２の絞り値を演算する。さらに、ＣＰＵ１１６は、前述した焦点検出装置１０８から出力された焦点検出信号に基づいて、デフォーカス量などの焦点調節状態の演算を行う。
【００１２】
画像処理部１１４は、ＡＳＩＣなどにより構成される。画像処理部１１４は、Ａ／Ｄ変換回路１１３から入力されるデジタル信号に対して、ホワイトバランス処理、ガンマ補正処理、色補間処理、輪郭強調、ビネット補正などの画像処理を施し画像データを生成する。圧縮回路１１５は、画像処理部１１４で画像処理の施された画像データに対してＪＰＥＧ圧縮処理を実行する回路である。ＣＰＵ１１６は、ＪＰＥＧ圧縮処理された画像データから画像ファイルを生成する。
【００１３】
メモリカードインタフェース１２２は、メモリカード１２３が着脱可能なインタフェースである。メモリカードインタフェース１２２は、ＣＰＵ１１６の制御に基づいて、画像ファイルをメモリカード１２３に書き込んだり、メモリカード１２３に記録されている画像ファイルを読み出すインタフェース回路である。メモリカード１２３はコンパクトフラッシュ（登録商標）やＳＤカードなどの半導体メモリカードである。
【００１４】
ＬＣＤ駆動回路１１９は、ＣＰＵ１１６の命令に基づいてＬＣＤ１２０を駆動する回路である。ＬＣＤ１２０はカメラ背面に設けられ、液晶ビューファインダとして用いられるとともに、メモリカード１２３に記録されている画像ファイルに基づいてＣＰＵ１１６で作成された再生表示データにより再生画像の表示を行う。また、ＬＣＤ１２０は、画像ファイルに関連する各種情報（シャッタ速度、絞り値、ＩＳＯ感度、ファイル名など）の表示を行う。また、ＬＣＤ１２０は、後述する操作部１２１の操作に基づき、電子カメラ１の各種設定メニュー画面の表示を行う。設定メニューの内容としては、撮影モードの設定などがある。
【００１５】
バッファメモリ１１８は、画像処理、画像圧縮処理および表示データ作成処理の途中や処理後のデータを一時的に格納するために使用される。また、連写撮影および動画撮影時に連続して撮像した複数コマの画像データを一時記憶するためにも用いられる。ＲＯＭ１１７は、ＣＰＵ１１６で実行されるプログラムデータなどを格納するメモリである。
【００１６】
操作部１２１は、ユーザの操作を受け付けるスイッチである。操作部１２１には、電源スイッチ１２１ａ、レリーズスイッチ１２１ｂ、モードダイヤル１２１ｃなどが含まれる。モードダイヤル１２１ｃは、電子カメラ１の各種モードの設定、たとえば、撮影モードとして単写モードや連写モード、動画モードの設定、ライブビューモードの設定を行なう。操作部１２１による操作内容は、操作系インタフェース１２６を介してＣＰＵ１１７へ出力される。
【００１７】
バッテリー電圧検出回路１２５は、上述した各部に電力を供給するバッテリーが有する電力の残容量を常時計測する。測定結果である残容量信号は、Ａ／Ｄ変換回路１２７ｄを介してＣＰＵ１１６へ出力される。温度センサ１２４は、電子カメラ１の内部の撮像素子１０７周辺の温度を常時測定し、測定結果である温度信号をＡ／Ｄ変換回路１２７ａを介してＣＰＵ１１６へ出力する。
【００１８】
ＣＰＵ１１６は、入力した残容量信号に基づいて、バッテリーの残容量Ｖと予め設定された閾値Ｖｃとを比較する。また、ＣＰＵ１１６は、入力した撮像素子１０７の温度ｔと、予め設定された閾値ｔｃとの比較を行なう。比較の結果、所定条件を満たしたと判定すると、ＣＰＵ１１６は、後述するライブビューモードでＬＣＤ１２０に表示されているカラー画像を単色（白黒）に切り替えて表示する。なお、所定条件とは、バッテリーの残容量Ｖが閾値Ｖｃ以下になった場合、または撮像素子１０７や周辺回路から発生する熱により、温度センサ１２４で測定された温度ｔが閾値ｔｃ以上になった場合である。
【００１９】
次にライブビューモードについて説明する。
ユーザは、モードダイヤル１２１ｃを操作することによりライブビューモードを設定することができる。ライブビューモードが設定されると、ＣＰＵ１１６は、クイックリターンミラー１０１を図１の破線で示す位置へ回動し、シャッタ１０６を開口して、被写体光が撮像素子１０７に導かれるようにする。そして、たとえば、１／３０秒周期で撮像素子１０７から出力されるＲＧＢの各色成分に基づいた光電変換信号を用いて生成されたカラー画像が動画像としてＬＣＤ１２０に表示される。ユーザはＬＣＤ１２０に表示されたカラー画像を見ながら、撮影の構図などを決めることができる。
【００２０】
ライブビューモードでＬＣＤ１２０にカラー画像を表示中に、ＣＰＵ１１６は入力した残容量信号または温度信号が上述した所定条件を満たした場合は、カラー画像表示を単色表示に切り替える。このとき、ＣＰＵ１１６は切り替え前に取得した最後の１コマのカラー画像に対応する画像データからＲ、Ｇ、およびＢのそれぞれに対応するヒストグラムを抽出する。ＣＰＵ１１６は、ヒストグラムを参照して、Ｒ、ＧおよびＢの３色の出力のうち階調数が最も多い色を１つ選択する。たとえば、被写体が観葉植物であれば、ＣＰＵ１１６はＧ色を選択する。
【００２１】
以下では、ＣＰＵ１１６によりＧ色が選択されたものとして説明する。Ｇ色が選択されると、ＣＰＵ１１６は、タイミングジェネレータ１１２に対してＧ色取得指令を出力する。タイミングジェネレータ１１２は、入力したＧ色取得指令に基づいて、ドライバ１１０、ＡＦＥ回路１１１およびＡ／Ｄ変換回路１１３へタイミング信号を出力する。ドライバ１１０は入力したタイミング信号に基づいて、Ｇ色駆動信号を撮像素子１０７へ出力する。ＡＦＥ回路１１１およびＡ／Ｄ変換回路１１３は、入力したタイミング信号に応じてＧチャンネルのみ駆動させ、ＲチャンネルおよびＢチャンネルをスタンバイまたはスリープ状態に設定する。この結果、撮像素子１０７から出力されるＧ色の光電変換信号は、ＡＦＥ回路１１１およびＡ／Ｄ変換回路１１３によりＧ色のデジタル信号に変換される。
【００２２】
画像処理部１１４は、入力したＧ色のデジタル信号に基づいて単色（白黒）の画像データを生成し、ＣＰＵ１１６へ出力する。ＣＰＵ１１６は、入力した単色の画像データに基づいて単色（白黒）の表示用画像データを作成して、ＬＣＤ１２０に出力する。その結果、ＬＣＤ１２０には、単色（白黒）の画像が動画像として表示される。なお、ＣＰＵ１１６により選択された色がＲ色またはＢ色の場合についても、同様にしてＲ色のみ、またはＢ色のみの出力に基づいて、上述した各処理が施されて、ＬＣＤ１２０に単色の画像が表示される。
【００２３】
ＣＰＵ１１６は、ＬＣＤ１２０に単色の画像が表示されてから、たとえば１秒などの所定秒時ごとに、ＲＧＢの３色の出力が得られるように、タイミングジェネレータ１１２に指令をする。そして、ＣＰＵ１１６は、撮像素子１０７からのＲＧＢの３色の出力に基づいて生成されたカラー画像データからヒストグラムを抽出して、Ｒ、Ｇ、およびＢの出力の中からいずれの色を取得するかを選択する。取得する色が選択されると、ＣＰＵ１１６は上述した処理を行い、撮像素子１０７からＲ、Ｇ、およびＢのいずれか１色が出力され、ＬＣＤ１２０には単色の画像が表示され続ける。
【００２４】
図３に示すフローチャートを用いて、実施の形態による電子カメラ１の動作を説明する。図３の各処理手順はＣＰＵ１１６でプログラムを実行して行われる。図３の各処理を行なうプログラムはメモリ（不図示）に格納されており、操作部１２１により電源がオンされると起動される。
ステップＳ１においては、タイミングジェネレータ１１２に対して、ＲＧＢ３色の出力が得られるように指令してステップＳ２へ進む。ステップＳ２においては、ライブビューモードに設定されているか否かを判定する。モードダイヤル１２１ｃによりライブビューモードに設定されている場合は、ステップＳ２が肯定判定されてステップＳ３へ進む。ライブビューモードに設定されていない場合は、ステップＳ２が否定判定されてステップＳ１へ戻る。
【００２５】
ステップＳ３においては、温度センサ１２４による測定結果に基づいて、電子カメラ１内部の温度ｔが閾値ｔｃ以上か否かを判定する。温度ｔが閾値ｔｃ以上の場合は、ステップＳ３が肯定判定されてステップＳ５へ進む。温度ｔが閾値ｔｃ未満の場合は、ステップＳ３が否定判定されてステップＳ４へ進む。
【００２６】
ステップＳ４においては、バッテリーの残容量Ｖが閾値Ｖｃ以下であるか否かを判定する。残容量Ｖが閾値Ｖｃ以下の場合は、ステップＳ４が肯定判定されてステップＳ５へ進む。ステップＳ５においては、ステップＳ１で取得したＲＧＢ３色の出力に基づいて生成されたカラー画像データから、Ｒ、Ｇ、およびＢのそれぞれの色のヒストグラムを抽出する。抽出したヒストグラムを参照して、階調数が最も多い色を選択してステップＳ６へ進む。
【００２７】
ステップＳ６においては、タイミングジェネレータ１１２に対して、ステップＳ５で選択された色のみが得られるように指令してステップＳ７へ進む。ステップＳ７においては、ステップＳ６で取得した１色の出力に基づいて生成された単色の画像データに対応する白黒の画像をＬＣＤ１２０に表示する。そして、不図示のタイマを起動して、時間計測を開始してステップＳ８へ進む。
【００２８】
ステップＳ８においては、ステップＳ７で起動したタイマにより計測された時間が、所定時間を超えたか否かを判定する。所定時間が経過した場合はステップＳ８が肯定判定されてステップＳ９へ進む。ステップＳ９においては、ステップＳ７で起動したタイマを停止してステップＳ１へ戻る。所定時間が経過していない場合は、ステップＳ８が否定判定されてステップＳ１０へ進む。
【００２９】
ステップＳ１０においては、ステップＳ２と同様にライブビューモードが設定されているか否かを判定する。ライブビューモードに設定されている場合は、ステップＳ１０が肯定判定されてステップＳ６へ戻る。ライブビューモードに設定されていない場合は、ステップＳ１０が否定判定されてステップＳ１へ戻る。
【００３０】
一方、ステップＳ４において、バッテリーの残容量Ｖが閾値Ｖｃを越える場合には、ステップＳ４が否定判定されてステップＳ１１へ進む。ステップＳ１１においては、ステップＳ１で取得したＲＧＢ３色の出力に基づいて生成したカラー画像データに対応するカラー画像を、ＬＣＤ１２０に表示してステップＳ１２へ進む。ステップＳ１２においては、電源がオフされたか否かを判定する。電源スイッチ１２１ａから電源オフ信号を入力した場合は、ステップＳ１２が肯定判定されて一連の処理を終了する。電源スイッチ１２１ａから電源オフ信号を入力しない場合は、ステップＳ１２が否定判定されてステップＳ１へ戻る。
【００３１】
以上で説明した実施の形態による電子カメラ１によれば、以下の作用効果が得られる。
（１）ライブビューモードでＬＣＤ１２０にカラー画像を表示中に、所定の条件が満たされると、ＣＰＵ１１６はＬＣＤ１２０に表示中のカラー画像を単色（白黒）画像の表示に切り替えるようにした。したがって、カラー画像を表示させるために必要な処理を行なわないので、カラー画像の表示処理で消費される電力と、処理により発生する熱量とを抑制することができる。
【００３２】
（２）ＣＰＵ１１６が単色画像の表示に切り替えるのは、温度センサ１２４で計測された電子カメラ１内部の温度ｔが閾値ｔｃ以上の場合、およびバッテリーの残容量Ｖが閾値Ｖｃ以下の場合のいずれかの場合とした。したがって、温度上昇にともない撮像素子１０７の出力にノイズが重畳されたり、電子カメラ１内部の種々の回路の動作に悪影響を及ぼすという事態を防ぐことができる。また、電力消費を抑制してバッテリーの駆動時間を延長させることができる。
【００３３】
（３）ＣＰＵ１１６は、カラー画像データから抽出したＲ、Ｇ、およびＢそれぞれのヒストグラムを参照して、ＲＧＢ３色の中から階調数の最も多い１色を選択するようにした。したがって、１色のデジタル信号であっても、その輝度値に基づいて白黒の単色画像データが作成されるので、ＬＣＤ１２０に表示された単色画像により、ユーザは被写体を認識することができる。
【００３４】
（４）撮像素子１０７は、ＣＰＵ１１６が選択した１色に対応する信号のみを出力するようにした。すなわち、撮像素子１０７は、ＣＰＵ１１６が選択していない２色に対応する信号を出力しないようにした。したがって、ＲＧＢの３色に対応する信号を出力する場合に比べて、撮像素子１０７で発生する熱量、および電力消費を抑制することができる。
【００３５】
（５）さらに、ＡＦＥ回路１１１およびＡ／Ｄ変換回路１１３は、ＣＰＵ１１６が選択した１色に対応する信号に対して処理を行なうチャンネルのみを駆動するようにした。すなわち、ＡＦＥ回路１１１およびＡ／Ｄ変換回路１１３は、撮像素子１０７が出力しない２色の信号に対して処理をする２つのチャンネルをスタンバイまたはスリープ状態にして、駆動しないようにした。したがって、消費電力および電子カメラ１の内部の温度上昇を抑制するので、内部回路への悪影響を防止するとともにバッテリーの駆動時間を延長することができる。
【００３６】
以上で説明した実施の形態の電子カメラ１を、以下のように変形できる。
（１）撮像素子１０７が、ＣＰＵ１１６により選択された１色に対応する信号を出力するものに代えて、ＲＧＢのすべての信号を出力するようにしてもよい。この場合、タイミングジェネレータ１１２からのタイミング信号に基づいて、ＡＦＥ回路１１１およびＡ／Ｄ変換回路１１３は、選択された１色に対して処理をするチャンネルのみを駆動し、残りの２つのチャンネルをスタンバイまたはスリープ状態に設定すればよい。その結果、ＡＦＥ回路１１１およびＡ／Ｄ変換回路１１３にかかる負荷が低減されるので、発熱量やバッテリーの消費電力を抑制することができる。
【００３７】
（２）撮像素子１０７はＲＧＢの全ての信号を出力し、ＡＦＥ回路１１１およびＡ／Ｄ変換回路１１３は入力した３色の信号に対して処理を施し、画像処理部１１４へ３色のデジタル信号を出力するようにしてもよい。この場合、ＣＰＵ１１６は、画像処理部１１４へ選択した１色を示す選択色情報を出力する。そして、画像処理部１１４は、入力した３色のデジタル信号の中から、選択色情報で示された１色に対応するデジタル信号に対して画像処理を施せばよい。その結果、画像処理部１１４にかかる負荷が低減されるので、発熱量やバッテリーの消費電力を抑制することができる。
【００３８】
（３）カラー画像データから抽出したＲ、Ｇ、およびＢそれぞれのヒストグラムを参照して、ＲＧＢ３色の中から階調数の最も多い１色を選択するものに代えて、常にＧを選択してもよい。
【００３９】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４０】
【図１】本発明の実施の形態における電子カメラの要部構成を説明する縦断面図である。
【図２】実施の形態における電子カメラの回路構成を説明するブロック図である。
【図３】実施の形態における電子カメラの動作を説明するフローチャートである。
【符号の説明】
【００４１】
１０７  撮像素子              １１１  ＡＦＥ回路
１１３  Ａ／Ｄ変換回路        １１４  画像処理部
１１６  ＣＰＵ                １２０  ＬＣＤ
１２４  温度センサ            １２５  バッテリー電圧検出回路
【図１】
2008258825.tif 000003
【図２】
2008258825.tif 000004
【図３】
2008258825.tif 000005